(57)【特許請求の範囲】
【請求項１】
右及び左の側壁が設けられた刈取フレームと、
右及び左の前記側壁の間に位置するように前記刈取フレームに設けられて、圃場の作物を切断する切断装置と、
前記切断装置よりも前側に突出するように前記側壁に設けられた分草具とが備えられ、
前記側壁と前記分草具とによって圃場の作物を分草するように構成され、
前記側壁のうち前記切断装置と隣り合う部分に、平坦状の底面が備えられ、
前記分草具の下部に、側面視で前記底面を含む仮想線よりも下側に膨出する膨出部が備えられ、
前記膨出部の前部の底部が、後ろ下がりの傾斜形状に形成され、
前記分草具の下部のうち前記膨出部よりも前側の部分が、後ろ下りの傾斜形状に形成され、
前記膨出部の前端部と、前記分草具の下部のうち前記膨出部よりも前側の部分の後端部とが、滑らかに連続している収穫機。
【請求項２】
前記膨出部が、前記分草具の下部から、前記側壁の下部に沿って前記底面まで延ばされている請求項１に記載の収穫機。
【請求項３】
前記膨出部が取り外された状態において、前記分草具の下部が、前記仮想線上に位置する請求項１又は２に記載の収穫機。
【請求項４】
前記膨出部が、側面視で、前記仮想線から下側に膨出する逆三角形状に形成され、
前記膨出部の頂部と前記膨出部の後端部とに亘る前後方向の長さが、前記膨出部の頂部と前記膨出部の前端部とに亘る前後方向の長さよりも、長いものに設定されている請求項１〜３のうちのいずれか一項に記載の収穫機。
【請求項５】
前記膨出部が、側面視で、前記仮想線から下側に膨出する逆三角形状に形成され、
前記分草具における刈幅方向の内面に、圃場の作物を前記刈取フレームの左右中央部側に向けて案内するガイド部が備えられ、
前記ガイド部は、前記膨出部の頂部に対応する位置から前記内面に沿って後方に向けて延ばされている請求項１〜４のうちのいずれか一項に記載の収穫機。
【請求項６】
左右方向に沿った軸芯周りに回転駆動されて、前記切断装置により切断された作物を横送りするオーガが備えられ、
前記ガイド部の後端部が、側面視で、前記オーガの外周部の回転軌跡と前記切断装置との間の位置まで延ばされている請求項５に記載の収穫機。
【請求項７】
作物を前記刈取フレームの左右中央部側に向けて案内する別ガイド部が備えられている請求項５又は６に記載の収穫機。
【請求項８】
前記別ガイド部の前端部が、側面視で、前記ガイド部の前端部よりも後側に位置している請求項７に記載の収穫機。
【請求項９】
左右方向に沿った軸芯周りに回転駆動されて、圃場の作物を前記切断装置に向けて掻き込む掻き込みリールが備えられ、
前記掻き込みリールは、前記掻き込みリールの外周部の最前端部が前記分草具の前端部よりも前側に位置する最前位置と、前記最前端部が前記分草具の前端部よりも後側に位置する最後位置とに亘って、前後に位置変更可能である請求項１〜８のうちのいずれか一項に記載の収穫機。
【発明の詳細な説明】
【技術分野】
【０００１】
本発明は、収穫機において圃場の作物を刈り取る刈取部の構成に関する。
【背景技術】
【０００２】
収穫機の一例である普通型のコンバインの刈取部では、特許文献１に開示されているように、刈取フレームに右及び左の側壁が設けられ、切断装置が右及び左の前記側壁の間に位置するように刈取フレームに設けられており、分草具が側壁に設けられて切断装置よりも前側に突出している。
【０００３】
これにより、収穫機の進行に伴って側壁と分草具とによって、圃場の作物が、刈取部に導入される作物と、次の行程で刈り取られるように圃場に残される作物とに分けられながら、刈取部に導入された作物が切断装置により切断されて刈り取られる。
【０００４】
特許文献１では、側壁の平坦状の底面と分草具の下部とが、側面視で連続するように接続されて、側壁の平坦状の底面と分草具の下部とが一つの直線上に並んでおり、分草具の下部が圃場面から少し上側に離れた位置となるように設定されている。
【先行技術文献】
【特許文献】
【０００５】
【特許文献１】特開２０１２−２１３３４２号公報（図１及び図２参照）
【発明の概要】
【発明が解決しようとする課題】
【０００６】
特許文献１のように、分草具の下部が圃場面から少し上側に離れていると、分草具により圃場の作物が分草される際に、分草具の付近の圃場の作物が、切断装置に向けて分草されずに、分草具の下部と圃場面との間に入り込み、収穫機の進行に伴って分草具により圃場から引き抜かれて、分草具の下部に滞留する可能性がある。
【０００７】
本発明は、収穫機において、収穫機の進行に伴って分草具の下部に、作物が滞留する状態を少なくすることを目的としている。
【課題を解決するための手段】
【０００８】
本発明の収穫機は、右及び左の側壁が設けられた刈取フレームと、右及び左の前記側壁の間に位置するように前記刈取フレームに設けられて、圃場の作物を切断する切断装置と、前記切断装置よりも前側に突出するように前記側壁に設けられた分草具とが備えられ、前記側壁と前記分草具とによって圃場の作物を分草するように構成され、前記側壁のうち前記切断装置と隣り合う部分に、平坦状の底面が備えられ、前記分草具の下部に、側面視で前記底面を含む仮想線よりも下側に膨出する膨出部が備えられ、前記膨出部の前部の底部が、後ろ下がりの傾斜形状に形成され、前記分草具の下部のうち前記膨出部よりも前側の部分が、後ろ下りの傾斜形状に形成され、前記膨出部の前端部と、前記分草具の下部のうち前記膨出部よりも前側の部分の後端部とが、滑らかに連続している。
【０００９】
本発明によると、側壁のうち切断装置と隣り合う部分に設けられた平坦状の底面において、側壁の平坦状の底面を含む仮想線よりも側面視で下側に膨出する膨出部が、分草具の下部に設けられている。膨出部が圃場面に接近することになって、膨出部と圃場面との間を狭くすることができる。
【００１０】
これにより、収穫機の進行に伴って分草具により圃場の作物が分草される際に、分草具の付近の圃場の作物が、膨出部と圃場面との間に入り込む可能性は小さくなるのであり、分草具の付近の圃場の作物は、分草具により圃場から引き抜かれずに適切に分草されて、切断装置により切断され易くなる。
本発明によると、分草具の付近の圃場の作物が、分草具の膨出部と圃場面との間に入り込んで滞留する可能性を抑えることができ、分草具により圃場の作物が適切に分草されるようになって、収穫性能を向上させることができる。
収穫機では、分草具の前端部が圃場面に接触することを防止する為に、特許文献１のように、分草具の下部が後ろ下りの傾斜形状に形成されて、分草具の前端部が圃場面から上側に離れるように設定されることがある。
前述の状態において本発明によると、膨出部の前端部と、分草具の下部のうち膨出部よりも前側の部分の後端部とが、滑らかに連続しており、分草具の下部のうち膨出部よりも前側の部分から、膨出部の前部の底部に亘って、後ろ下りの傾斜形状になっている。これにより、膨出部の前端部付近に、圃場の作物が付着して滞留するような状態は生じ難い。
【００１１】
本発明において、前記膨出部が、前記分草具の下部から、前記側壁の下部に沿って前記底面まで延ばされていると好適である。
【００１２】
本発明によると、膨出部が側壁の下部に沿って側壁の平坦状の底面まで延ばされていることにより、膨出部と圃場面との間の狭い部分を、前後方向に沿って比較的長い領域とすることができるので、分草具の付近の圃場の作物が膨出部と圃場面との間に入り込む可能性を、さらに抑えることができる。
【００１３】
本発明において、前記膨出部が取り外された状態において、前記分草具の下部が、前記仮想線上に位置すると好適である。
【００１４】
圃場面に凸部や隆起した部分が多くある場合、膨出部が圃場面に接触して破損する可能性があるので、本発明によると、膨出部を分草具から取り外すことにより、膨出部が圃場面に接触して破損することを避けることができる。
膨出部が取り外された場合、分草具の下部が仮想線上に位置するので、分草具の付近の圃場の作物が分草具の下部と圃場面との間に入り込む可能性は小さい。
【００１５】
【００１６】
【００１７】
【００１８】
本発明において、前記膨出部が、側面視で、前記仮想線から下側に膨出する逆三角形状に形成され、前記膨出部の頂部と前記膨出部の後端部とに亘る前後方向の長さが、前記膨出部の頂部と前記膨出部の前端部とに亘る前後方向の長さよりも、長いものに設定されていると好適である。
【００１９】
膨出部が逆三角形状に形成されると、膨出部において膨出部の頂部から後側の部分が、圃場面に対向することになるのであり、本発明によると、逆三角形状の膨出部において、膨出部の頂部から後側の部分が長いものとなる。
これにより、膨出部と圃場面との間の狭い部分を、前後方向に沿って比較的長い領域とすることができるので、分草具の付近の圃場の作物が膨出部と圃場面との間に入り込む可能性を、さらに抑えることができる。
【００２０】
本発明において、前記膨出部が、側面視で、前記仮想線から下側に膨出する逆三角形状に形成され、前記分草具における刈幅方向の内面に、圃場の作物を前記刈取フレームの左右中央部側に向けて案内するガイド部が備えられ、前記ガイド部は、前記膨出部の頂部に対応する位置から前記内面に沿って後方に向けて延ばされていると好適である。
【００２１】
本発明によると、分草具における刈幅方向の内面に設けられたガイド部により、圃場の作物が刈取フレームの左右中央部側に向けて案内されるので、分草具の付近の圃場の作物が膨出部と圃場面との間に入り込む可能性を、さらに抑えることができる。
【００２２】
本発明によると、膨出部が逆三角形状に形成された場合、ガイド部が膨出部の頂部に対応する位置から、分草具の内面に沿って後方に向けて延ばされている。
これにより、ガイド部の前端部が圃場の作物に比較的早期に作用し、ガイド部の案内機能が比較的早期に発揮されるようになるので、分草具の付近の圃場の作物が膨出部と圃場面との間に入り込む可能性を、さらに抑えることができる。
【００２３】
本発明において、左右方向に沿った軸芯周りに回転駆動されて、前記切断装置により切断された作物を横送りするオーガが備えられ、前記ガイド部の後端部が、側面視で、前記オーガの外周部の回転軌跡と前記切断装置との間の位置まで延ばされていると好適である。
【００２４】
収穫機では、左右方向に沿った軸芯周りに回転駆動されて、切断装置により切断された作物を横送りするオーガが設けられることがある。切断装置により切断された作物が、オーガにより横送りされ集められて、刈取部から脱穀装置や貯留部等に搬送される。
【００２５】
前述のようにガイド部が設けられた場合、本発明によると、ガイド部の後端部が、側面視で、オーガの外周部の回転軌跡と切断装置との間の位置まで延ばされている。
これにより、圃場の作物が、ガイド部により刈取フレームの左右中央部側に向けて案内されて、切断装置により切断され、切断された作物が、ガイド部によりオーガまで無理なく案内されるようになる。
【００２６】
本発明において、作物を前記刈取フレームの左右中央部側に向けて案内する別ガイド部が備えられていると好適である。
【００２７】
本発明によると、ガイド部に加えて、作物を刈取フレームの左右中央部側に向けて案内する別ガイド部が設けられているので、ガイド部及び別ガイド部により、圃場の作物を刈取フレームの左右中央部側に向けて案内する案内機能が高いものとなる。
【００２８】
本発明において、前記別ガイド部の前端部が、側面視で、前記ガイド部の前端部よりも後側に位置していると好適である。
【００２９】
ガイド部及び別ガイド部が設けられた場合、本発明によると、別ガイド部の前端部が側面視でガイド部の前端部よりも後側に位置しているので、ガイド部の案内機能が発揮され後、次に別ガイド部の案内機能が発揮されることになる。
これにより、ガイド部及び別ガイド部において、案内機能が発揮されるタイミングがずれることによって、ガイド部及び別ガイド部の各々において案内機能が十分に発揮され易くなる。
【００３０】
本発明において、左右方向に沿った軸芯周りに回転駆動されて、圃場の作物を前記切断装置に向けて掻き込む掻き込みリールが備えられ、前記掻き込みリールは、前記掻き込みリールの外周部の最前端部が前記分草具の前端部よりも前側に位置する最前位置と、前記最前端部が前記分草具の前端部よりも後側に位置する最後位置とに亘って、前後に位置変更可能であると好適である。
【００３１】
収穫機では、左右方向に沿った軸芯周りに回転駆動されて、圃場の作物を切断装置に向けて掻き込む掻き込みリールが設けられることがある。
本発明によると、掻き込みリールの外周部の最前端部が分草具の前端部よりも前側に位置する最前位置及び後側に位置する最後位置に亘って、掻き込みロールが前後に位置変更可能である。
これにより、分草具の前端部の付近の圃場の作物に対して、圃場の状態や作物の状態等に応じて、掻き込みリールの位置を設定することができるので、分草具の分草性能を高めることができる。
【図面の簡単な説明】
【００３２】
【図１】コンバインの右側面図である。
【図２】コンバインの平面図である。
【図３】刈取部の右側面図である。
【図４】右の分草具及び取り外された右の膨出部の付近の右側面図である。
【図５】右の分草具の付近の斜視図である。
【図６】刈取部の平面図である。
【図７】右の分草具及び右の膨出部の付近の左側面図である。
【図８】左の分草具及び左の膨出部の付近の右側面図である。
【発明を実施するための形態】
【００３３】
図１〜図８に、収穫機の一例である普通型のコンバインが示されており、図１〜図８において、Ｆは前方向を示し、Ｂは後方向を示し、Ｕは上方向を示し、Ｄは下方向を示し、Ｒは右方向を示し、Ｌは左方向を示している。
【００３４】
（コンバインの全体構成）
図１及び図２に示すように、右及び左のクローラ型式の走行装置２により、機体１が支持されて、運転部３が機体１の前部の右部に設けられており、脱穀装置４が機体１の後部の左部に設けられ、穀粒ホッパー５が機体１の後部の右部に設けられている。
【００３５】
フィーダ６が、脱穀装置４の前部に連結されて前側に延出され、刈取部７がフィーダ６の前部に連結されており、刈取部７に、掻き込みリール９、切断装置１０、オーガ１１及び分草具１２が設けられている。
【００３６】
以上の構成により、圃場の作物が、刈取部７の側壁１５と分草具１２とによって、刈取部７に導入される作物と、次の行程で刈り取られるように圃場に残される作物とに分けられ、刈取部７に導入される作物が、掻き込みリール９により、切断装置１０に向けて掻き込まれる。
【００３７】
掻き込みリール９により掻き込まれた作物は、切断装置１０により切断されて、オーガ１１によりフィーダ６の前部の入口に向けて横送りされ、フィーダ６を通って搬送されて脱穀装置４に供給されるのであり、脱穀装置４で脱穀処理された穀粒が、穀粒ホッパー５に投入される。
【００３８】
（刈取部の全体構成）
図３及び図６に示すように、刈取部７において、刈取部７の骨格となる刈取フレーム８が設けられている。刈取フレーム８に、側面視で円弧状に形成された底部１３が、刈取部７の左右方向の全幅に亘って設けられ、後壁部１４が底部１３の後部に連結されている。
フィーダ６の前部が後壁部１４に連結されて、刈取部７がフィーダ６の前部に連結されている。
【００３９】
底部１３及び後壁部１４の右部に、右の側壁１５が連結され、底部１３及び後壁部１４の左部に、左の側壁１５が連結されて、右及び左の側壁１５が刈取フレーム８に設けられている。右及び左の分草具１２が、切断装置１０よりも前側に突出するように、右及び左の側壁１５に連結されている。
【００４０】
（掻き込みリールの構成）
図３に示すように、右及び左の支持フレーム１７が、刈取部７の右後部及び左後部に、左右方向に沿った軸芯Ｐ２周りに上下に揺動可能に支持されて、前側に延ばれている。右及び左の支持フレーム１７の位置を上下に変更可能な油圧シリンダ１８が、側壁１５と支持フレーム１７とに亘って設けられている。
【００４１】
右及び左の支持ブラケット１９が、右及び左の支持フレーム１７の前部に取り付けられており、支持ブラケット１９は、支持フレーム１７に沿って前後方向に位置変更可能及び固定可能である。駆動軸２０が、左右方向に沿った軸芯Ｐ３周りに回転可能に、右及び左の支持ブラケット１９に亘って支持されている。
【００４２】
側面視で五角形状の右及び左のリールフレーム２１が、駆動軸２０の右部及び左部に連結されている。右の支持ブラケット１９において、軸芯Ｐ３よりも少し後側の左右方向に沿った軸芯（図示せず）周りに、五角形状のリールフレーム２２が、回転可能に支持されている。
【００４３】
右及び左のリールフレーム２１の５個の頂部に亘って、左右方向に沿った５本の支持軸２３が、回転可能に取り付けられており、棒状の多数のタイン２４が支持軸２３に連結されている。リンク部材２５が支持軸２３の右端部に連結され、リンク部材２５がリールフレーム２２の５個の頂部に回転可能に接続されている。
【００４４】
駆動軸２０の右端部に連結された入力プーリー２０ａと、軸芯Ｐ２の位置に配置された駆動プーリー２６とに亘って、伝動ベルト２７が取り付けられており、伝動ベルト２７の張力を維持するテンションプーリー２８が、右の支持フレーム１７に設けられている。
【００４５】
以上の構成により、駆動プーリー２６の動力が伝動ベルト２７を介して駆動軸２０の入力プーリー２０ａに伝達され、駆動軸２０が図３の時計方向に回転駆動されて、駆動軸２０と一体で右及び左のリールフレーム２１が回転駆動される。
【００４６】
リールフレーム２１と一緒にリールフレーム２２が回転することにより、リンク部材２５及びリールフレーム２２の５個の頂部によって、タイン２４が常に図３に示す下向きの姿勢に維持されるのであり、支持軸２３及びタイン２４により圃場の作物が切断装置１０に向けて掻き込まれる。
【００４７】
支持ブラケット１９が支持フレーム１７に沿って前後方向に位置変更されて、掻き込みリール９が前後に位置変更される構成において、側面視で支持軸２３の回転軌跡の最前端部を、掻き込みリール９の外周部の最前端部とした場合、分草具１２（本体部３４）の前端部３４ｃ（後述の（分草具の構成）を参照）との位置関係が、以下の説明のようになっている。
【００４８】
図３に示すように、掻き込みリール９の外周部の最前端部が、側面視で分草具１２（本体部３４）の前端部３４ｃよりも前側に位置する最前位置Ａ１まで、掻き込みリール９が前側に位置変更可能である。
掻き込みリール９の外周部の最前端部が、側面視で分草具１２（本体部３４）の前端部３４ｃよりも後側に位置する最後位置Ａ２まで、掻き込みリール９が後側に位置変更可能である。
【００４９】
（切断装置の構成）
図３及び図６に示すように、側面視でアングル状に形成された支持部材１６が、底部１３の前部に連結されて、刈取部７の左右方向の全幅に亘って設けられている。
【００５０】
切断装置１０が、支持部材１６に連結されて、右及び左の側壁１５の間に位置するように、刈取フレーム８に設けられている。切断装置１０は、多数の固定刃と、固定刃に沿って左右方向に往復駆動される可動刃とを有しており、刈取部７の左右方向の全幅に亘って設けられている。
【００５１】
以上の構成により、前述の（掻き込みリールの構成）に記載のように、圃場の作物が掻き込みリール９により切断装置１０に向けて掻き込まれると、作物の株元が切断装置１０により切断される。
【００５２】
（オーガの構成）
図２，６，７，８に示すように、オーガ１１は、円筒状の本体部１１ａと、本体部１１ａの外周部に連結された右及び左の螺旋部１１ｂと、右及び左の螺旋部１１ｂの間に配置された棒状の掻き込み部１１ｃとを有している。オーガ１１は、左右方向に沿った軸芯Ｐ１周りに回転可能に、右及び左の側壁１５に亘って支持されており、図７の反時計方向に回転駆動される。
【００５３】
以上の構成により、前述の（切断装置の構成）に記載のように、切断装置１０により切断された作物が、オーガ１１に送られる。オーガ１１に送られた作物は、オーガ１１の螺旋部１１ｂにより、フィーダ６の前部の入口に向けて横送りされるのであり、オーガ１１の掻き込み部１１ｃにより、フィーダ６の入口に送られる。
【００５４】
（刈取部における側壁の構成）
図３，５，７，８に示すように、底部１３及び後壁部１４の右部及び左部に連結された右及び左の側壁１５において、角パイプ状のフレーム２９が、側壁１５の上部に前後方向に沿って連結されている。
【００５５】
上下方向に沿ったフレーム３０が、右の側壁１５の外側部に連結されて、駆動軸３１が前後方向に沿ってフレーム３０に支持されており、駆動軸３１の前端部に連結されたアーム部３１ａが、切断装置１０に接続されている。駆動軸３１が、前後方向に沿った自身の軸芯周りに往復回転駆動されることにより、駆動軸３１のアーム部３１ａにより、切断装置１０の可動刃が左右方向に往復駆動される。
【００５６】
右及び左の前面部３２が、右及び左の側壁１５の前部に上下方向に沿って連結されており、前面部３２は左右方向に沿って所定の横幅を有している。
右及び左の底面部３３が、右及び左の側壁１５の前部の下部に前後方向に沿って連結されており、底面部３３は左右方向に沿って前面部３２と同じ横幅を有している。底面部３３は、側面視で切断装置１０に対して下側に配置されており、側壁１５のうち切断装置１０と隣り合う部分に設けられた平坦状の底面である。
【００５７】
右及び左の傾斜面部４０が、前面部３２の下端部と底面部３３の前端部とに亘って、右及び左の側壁１５の前部の下部に連結されており、傾斜面部４０は左右方向に沿って前面部３２及び底面部３３と同じ横幅を有している。
【００５８】
（分草具の構成）
図３，４，５に示すように、右及び左の側壁１５が連結された右及び左の分草具１２において、平板状の本体部３４、本体部３４の上部に前後方向に沿って連結された上面部３５、本体部３４の後部に上下方向に沿って連結された後面部３６と、本体部３４の外側部に連結されたガイド部３７等が設けられている。右及び左の分草具１２は、後面部３６の上部の形状を除いて、左右対称の形状となっている。
【００５９】
本体部３４の下部が、後ろ下りの傾斜形状に形成されている。本体部３４の下部において、後述の（膨出部の構成）に記載の膨出部４３よりも前側の部分である前下部３４ａ、及び前下部３４ａに対して後側に位置する後下部３４ｂが設けられており、本体部３４の前下部３４ａの傾斜角度が、本体部３４の後下部３４ｂの傾斜角度よりも大きなものに設定されている。
【００６０】
本体部３４の前端部３４ｃよりも少し上側の部分と、本体部３４の前下部３４ａの後端部３４ｄとに亘って、丸棒材が折り曲げられて形成されたガード部材３８が連結されている。
【００６１】
本体部３４の外側部において、ガイド部３７の前端部が、本体部３４の前下部３４ａの後端部３４ｄの近傍部分に連結されて、ガイド部３７が後面部３６の位置まで後側に延ばされている。本体部３４とガイド部３７とに亘って、支持ステー３９が連結されている。
【００６２】
上面部３５は、本体部３４の前端部３４ｃから後側に向かって次第に、左右方向に沿った横幅が大きくなっており、上面部３５の後部の横幅は、フレーム２９の横幅と同じである。
【００６３】
後面部３６の上端部３６ａが、後向きに折り曲げられて後側に延ばされている。右の分草具１２において、後面部３６の上部に切り欠き部３６ｂが形成されており、後面部３６の上端部３６ａ横幅が、上面部３５の後部の横幅及びフレーム２９の横幅と同じになっている。
【００６４】
以上の構成により、分草具１２の後面部３６が、側壁１５の前面部３２にボルト４１により連結され、分草具１２の後面部３６の上端部３６ａが、側壁１５のフレーム２９にボルト４２により連結されて、右及び左の分草具１２が右及び左の側壁１５に連結されている。
【００６５】
図４及び図７に示すように、側面視で右及び左の側壁１５の底面部３３を含む仮想線Ｂ１を設定した場合、右及び左の分草具１２が側壁１５に連結された状態において、右及び左の分草具１２（本体部３４）の後下部３４ｂが、仮想線Ｂ１上に位置する。
【００６６】
図４及び図５に示すように、右の側壁１５の前面部３２において、右の分草具１２の後面部３６の切り欠き部３６ｂに対応する部分に、傾斜部３２ａが設けられている。
前述の（掻き込みリールの構成）に記載のように、掻き込みリール９が最下降位置に操作された場合、伝動ベルト２７が、右の側壁１５の前面部３２の傾斜部３２ａ、及び、右の分草具１２の後面部３６の切り欠き部３６ｂの付近に位置するのであり、伝動ベルト２７と右の側壁１５の前面部３２及び右の分草具１２の後面部３６との接触が避けられる。
【００６７】
（膨出部の構成）
図４，７，８に示すように、右及び左の分草具１２の下部の内面に、右及び左の膨出部４３が取り付けられている。
【００６８】
膨出部４３は、平板状の板材によって形成されており、側面視で膨出部４３の下部が逆三角形状に形成されている。膨出部４３の前端部４３ａ及び後端部４３ｂ、前端部４３ａと後端部４３ｂとの間の頂部４３ｃに亘って、丸棒材が折り曲げられて形成されたガード部材４４が連結されている。膨出部４３の上部に沿って連結孔４３ｄが開口されている。
【００６９】
膨出部４３の前端部４３ａと頂部４３ｃとの間の部分（膨出部４３の前部の底部に相当）が、後ろ下がりの傾斜形状に形成されている。
側面視で、膨出部４３の頂部４３ｃと膨出部４３の後端部４３ｂとに亘る前後方向の長さＬ１が、膨出部４３の頂部４３ｃと膨出部４３の前端部４３ａとに亘る前後方向の長さＬ２よりも、長いものに設定されている。
【００７０】
（膨出部が分草具に取り付けられた状態）
図４に示すように、右及び左の側壁１５において、傾斜面部４０よりも少し上側の部分に、連結孔１５ａが開口されている。右及び左の分草具１２の本体部３４において、後下部３４ｂよりも少し上側の部分に、連結孔３４ｆが開口されている。
【００７１】
図３，４，７，８に示すように、右及び左の膨出部４３が、分草具１２及び側壁１５の内面に当て付けられて、ボルト４５が、膨出部４３の連結孔４３ｄと、側壁１５の連結孔１５ａ及び分草具１２（本体部３４）の連結孔３４ｆとに亘って、挿入され締め付けられて、膨出部４３が分草具１２の下部に連結されている。ボルト４５が外されることによって、膨出部４３が分草具１２から取り外し可能である。
【００７２】
図７に示すように、右及び左の膨出部４３が分草具１２の下部に連結された状態において、側面視で、膨出部４３が仮想線Ｂ１よりも下側に膨出しており、膨出部４３が仮想線Ｂ１よりも下側に膨出する部分が、逆三角形状となっている。
【００７３】
膨出部４３は、側面視で、分草具１２の下部から、側壁１５の下部に沿って側壁１５の底面部３３まで延ばされており、膨出部４３の後端部４３ｂが、側壁１５の底面部３３の前端部と同じ位置に位置している。
【００７４】
膨出部４３の前端部４３ａと、分草具１２（本体部３４）の前下部３４ａの後端部３４ｄ（分草具の下部のうち膨出部よりも前側の部分の後端部に相当）とが、同じ位置に位置して滑らかに連続している。
【００７５】
膨出部４３の前端部４３ａと頂部４３ｃとの間の部分が、後ろ下がりの傾斜形状に形成され、分草具１２（本体部３４）の前下部３４ａが、後ろ下りの傾斜形状に形成されており、膨出部４３の前端部４３ａと頂部４３ｃとの間の部分と、分草具１２（本体部３４）の前下部３４ａとが、後ろ下りの一直線状の傾斜形状になっている。
【００７６】
ボルト４５が外されて、右及び左の膨出部４３が分草具１２から取り外されると、前述の（分草具の構成）の記載及び図４に示すように、分草具１２（本体部３４）の後下部３４ｂが、仮想線Ｂ１上に位置している。
【００７７】
（右及び左のガイド部の構成）
図６，７，８に示すように、右及び左の分草具１２における刈幅方向の内面に、圃場の作物を刈取フレーム８の左右中央部側に向けて案内する右及び左のガイド部４６，４７が備えられている。
【００７８】
右及び左のガイド部４６，４７は、丸パイプにより形成されている。右及び左のガイド部４６，４７の前端部４６ａ，４７ａが、膨出部４３の頂部４３ｃに対応する位置に、ボルト４５により膨出部４３と一緒に分草具１２（本体部３４）に連結されており、右及び左のガイド部４６，４７が、膨出部４３の頂部４３ｃに対応する位置から分草具１２の内面に沿って後方に向けて延ばされている。
【００７９】
右及び左のガイド部４６，４７に、支持ステー４６ｃ，４７ｃが連結されており、右及び左のガイド部４６，４７の支持ステー４６ｃ，４７ｃが、ボルト４５により膨出部４３と一緒に側壁１５に連結されている。
【００８０】
図７に示すように、右のガイド部４６の後半部が、側面視で、右のガイド部４６の前半部に対して少し斜め上側に延ばされており、右のガイド部４６の後端部４６ｂが、側面視で、オーガ１１（螺旋部１１ｂ）の外周部の回転軌跡と切断装置１０との間の位置まで延ばされている。
【００８１】
図８に示すように、左のガイド部４７は一直線状に後方に延ばされており、左のガイド部４７の後端部４７ｂが、側面視で、オーガ１１（螺旋部１１ｂ）の外周部の回転軌跡と切断装置１０との間の位置まで延ばされている。
【００８２】
（右及び左の別ガイド部の構成）
図６，７，８に示すように、右及び左の分草具１２における刈幅方向の内面に、圃場の作物を刈取フレーム８の左右中央部側に向けて案内する右及び左の別ガイド部４８，４９が備えられている。
【００８３】
右及び左の別ガイド部４８，４９は、丸パイプにより形成されている。図６及び図７に示すように、右の別ガイド部４８の前端部４８ａが、側面視で、右のガイド部４６の前端部４６ａよりも後側に位置し、右のガイド部４６よりも上側に位置するように、ボルト４５により膨出部４３と一緒に側壁１５に連結されている。
【００８４】
右の別ガイド部４８は、平面視で、右のガイド部４６と右の側壁１５（膨出部４３）との間に配置されており、側面視で、右のガイド部４６と交差するように、斜め後下側に延ばされている。右の別ガイド部４８の後端部４８ｂが、側面視で、右のガイド部４６に対して下側に位置しており、切断装置１０の近傍に位置している。
【００８５】
図６及び図８に示すように、左の別ガイド部４９の前端部４９ａが、側面視で、左のガイド部４７の前端部４７ａよりも後側に位置し、左のガイド部４６よりも上側に位置するように、ボルト４５により膨出部４３と一緒に側壁１５に連結されている。
【００８６】
左の別ガイド部４９は、側面視で、左のガイド部４７よりも上側の位置を、左のガイド部４７に沿って後方に延ばされており、平面視で、左のガイド部４７と交差している。左の別ガイド部４９の後端部４９ｂが、側面視で、左のガイド部４７に対して上側に位置しており、オーガ１１（螺旋部１１ｂ）の外周部の回転軌跡と切断装置１０との間の位置まで延ばされている。
【００８７】
（発明の実施の第１別形態）
膨出部４３が、逆三角形状に形成されるのではなく、側壁１５の底面部３３よりも前側の部分において、仮想線Ｂ１よりも下側に膨出する下向きの凸形状に構成されてもよい。
この構成によると、膨出部４３は、分草具１２に連結され、側壁１５には連結されないことになる。
【００８８】
（発明の実施の第２別形態）
右及び左の膨出部４３が、互いに異なる形状であってもよい。
例えば、右の膨出部４３が図４及び図７に示す形状に構成され、左の膨出部４３が前述の（発明の実施の第１別形態）に示す形状に構成されてもよい。逆に左の膨出部４３が図４及び図７に示す形状に構成され、右の膨出部４３が前述の（発明の実施の第１別形態）に示す形状に構成されてもよい。
【００８９】
（発明の実施の第３別形態）
右及び左の膨出部４３において、左の膨出部４３が設けられ、右の膨出部４３が設けられないように構成されてもよい。右の膨出部４３が設けられ、左の膨出部４３が設けられないように構成されてもよい。
【００９０】
（発明の実施の第４別形態）
図７及び図８に示すように、膨出部４３の前端部４３ａと、分草具１２（本体部３４）の前下部３４ａの後端部３４ｄとが、同じ位置に位置している場合、膨出部４３の前端部４３ａと頂部４３ｃとの間の部分の傾斜角度が、分草具１２（本体部３４）の前下部３４ａの傾斜角度に対して、少し大きな角度又は少し小さな角度に設定されてもよい。
この構成によると、膨出部４３の前端部４３ａと頂部４３ｃとの間の部分と、分草具１２（本体部３４）の前下部３４ａとが、一直線状ではなく少し折れ曲がった状態となる。
【００９１】
（発明の実施の第５別形態）
右及び左の別ガイド部４８，４９において、右の別ガイド部４８が設けられ、左の別ガイド部４９が設けられないように構成されてもよい。左の別ガイド部４９が設けられ、右の別ガイド部４８が設けられないように構成されてもよい。右及び左の別ガイド部４８，４９が設けられないように構成されてもよい。
【産業上の利用可能性】
【００９２】
本発明は、普通型のコンバインばかりではなく、とうもろこし収穫機等の収穫機にも適用できる。
【符号の説明】
【００９３】
８      刈取フレーム
９      掻き込みリール
１０    切断装置
１１    オーガ
１２    分草具
１５    側壁
３３    底面部（底面）
３４ａ  前下部（分草具の下部のうち膨出部よりも前側の部分）
３４ｂ  後下部（下部）
３４ｃ  前端部
３４ｄ  後端部
４３    膨出部
４３ａ  前端部
４３ｂ  後端部
４３ｃ  頂部
４６    ガイド部
４６ａ  前端部
４６ｂ  後端部
４７    ガイド部
４７ａ  前端部
４７ｂ  後端部
４８    別ガイド部
４８ａ  前端部
４９    別ガイド部
４９ａ  前端部
Ａ１    最前位置
Ａ２    最後位置
Ｂ１    仮想線
Ｌ１    長さ
Ｌ２    長さ
Ｐ１    軸芯
Ｐ３    軸芯
【図１】
0006833913.tif 000002
【図２】
0006833913.tif 000003
【図３】
0006833913.tif 000004
【図４】
0006833913.tif 000005
【図５】
0006833913.tif 000006
【図６】
0006833913.tif 000007
【図７】
0006833913.tif 000008
【図８】
0006833913.tif 000009